(57)【要約】【課題】墳墓への供え具である立てかけ式の盆灯籠の支柱を簡易組立可能に分割構成し、コンパクトで持ち運び容易な組立キットとする。【解決手段】盆灯籠の支柱を２つの接続部材（１，２）　に分割構成し、各接続部材（１，２）　の一端に分離可能で接続可能な嵌合継手（２２，２１）　を形設した盆灯籠組立支柱Ｘであって、接続部材が、一端に嵌合凸部１１を形成した第１接続部材１と、一端に嵌合凹部２１を形成した第２接続部材２からなる。第１接続部材１の嵌合凸部１１は部材の端面を塞いだ鍔部１１１　と該鍔部１１１　から延出され半割状の割ピンを形設した嵌合突起部１１２　を有している。嵌合凸部１１の鍔部１１１　に嵌合凹部２１の端面が当接するまで嵌合して２部材１，２間の接続を確保する。【選択図】　　　図１
0003097529.tif 000002
【実用新案登録請求の範囲】
【請求項１】
墳墓への供え具である立てかけ式の盆灯籠において、
前記盆灯籠の支柱を２つの接続部材に分割構成し、各接続部材の一端に分離可能で接続可能な嵌合継手を形設した盆灯籠組立支柱であって、
前記接続部材が、一端に嵌合凸部を形成した第１接続部材と、一端に嵌合凹部を形成した第２接続部材からなるとともに、前記第１接続部材の嵌合凸部が部材の端面を塞いだ鍔部と該鍔部から延出され半割状の割ピンを形設した嵌合突起部を有してなり、該嵌合凸部の鍔部に前記嵌合凹部の端面が当接するまで嵌合して２部材間の接続を確保するようにしたことを特徴とする盆灯籠用組立支柱。
【請求項２】
墳墓への供え具である立てかけ式の盆灯籠において、
前記盆灯籠の支柱を２以上の接続部材に分割構成し、各接続部材の一端又は両端に分離可能で接続可能な嵌合継手を形設した盆灯籠組立支柱であって、
前記接続部材が、少なくとも一端に嵌合凸部を形成した第１接続部材と、少なくとも一端に嵌合凹部を形成した第２接続部材と、一端に嵌合凸部を形成し、かつ、他端に嵌合凹部を形成した第３接続部材からなり、
前記嵌合凸部がそれぞれの部材の端面を塞いだ鍔部と該鍔部から延出され半割状の割ピンを形設した嵌合突起部を有してなり、
前記第１接続部材と前記第２接続部材間に１又は複数本の前記第３接続部材を介在させ、隣接する部材間でそれぞれ前記嵌合凸部の鍔部に前記嵌合凹部の端面が当接するまで嵌合して多部材間の接続を確保するようにしたことを特徴とする盆灯籠用組立支柱。
【請求項３】
嵌合突起部の半割面にそれぞれ係止溝を対向形成するとともに、嵌合凹部の中央横断方向に係止棒を架設してなり、嵌合状態において前記係止棒と前記係止溝を係合することにより、前記嵌合突起部を割ピンの開方向に付勢し、かつ、前記嵌合凹部の内壁により拘束して、嵌着に係る弾性エネルギの蓄積を増補するようにした請求項１又は２記載の盆灯籠用組立支柱。
【請求項４】
第１接続部材又は第２接続部材のいずれかの自由端側を竹割りに複数分割して灯籠用側面枠部を形成したものである請求項１又は２記載の盆灯籠用組立支柱。
【請求項５】
各接続部材が概略同一寸法に切り揃えた竹材であって、第１接続部材が一端に竹筒の内径に適合する嵌合凸部を形成したものであり、第２接続部材が一端に竹筒の中空を用いて嵌合凹部を形成したものであり、前記第１接続部材又は前記第２接続部材のいずれかの自由端側を竹割りに複数分割して灯籠用側面枠部を形成するとともに、前記第１接続部材の嵌合凸部が竹材の端面を塞いだ鍔部と該鍔部から延出され半割状の割ピンを形設した嵌合突起部を有し、該嵌合突起部の半割面にそれぞれ係止溝を対向形成したものであり、前記第２接続部材の嵌合凹部の中央横断方向に係止棒を横架してなり、前記嵌合凸部の鍔部に前記嵌合凹部の端面が当接するまで嵌合し、かつ、前記係止棒と前記係止溝を係合することにより、その嵌合状態において前記嵌合突起部を前記割ピンの開方向に付勢し、かつ、前記嵌合凹部の筒内壁により拘束して、接続状態を保持するようにしたことを特徴とする請求項１又は２記載の盆灯籠用組立支柱。
【考案の詳細な説明】
【０００１】
【考案の属する技術分野】
本考案は、墳墓への供え具である立てかけ式の盆灯籠に係り、詳しくは、盆灯籠の支柱を２又はそれ以上の接続部材に分割構成し、各接続部材の一端に分離可能で接続可能な嵌合継手を形設した盆灯籠組立支柱に関する。
【０００２】
【従来の技術】
従来より、本邦の中国地方（特に広島県）では、竹材を盆灯籠用の支柱として用い、その一端を竹割りに複数分割して灯籠用側面枠部を形成し、該側面枠部に胴紙を貼設して「ぼんぼり」を形成した立設型の盆灯籠が知られている。なお、「ぼんぼり」の形状は上開きの六角形とされるのが一般的である。
【０００３】
こうした馴染みのある盆灯籠は、お盆の時期に墳墓への供え具として完成品を購入し、そのまま持ち運ぶのであるが、車両等で輸送する場合に長くて嵩張るという不都合がある。なお、来年のために備蓄しておくということもない。
【０００４】
一方、製造する側からしても、１．５ｍ程度の長物として切り出した竹材の一端を加工し、別途用意した胴紙を貼り合わせて完成品とするのであるが、時期に合わせて生産している。つまり、季節商品であって備蓄生産はおこなわれていないので、完成品の在庫を抱えてしまうとその年の収支に影響するという問題があった。にもかからず、この種の盆灯籠を組立式としてその道具一式（組立キットに同じ。）を備蓄生産するということはなされてこなかった。
【０００５】
したがって、これまでに梱包がコンパクトで簡易組立可能な盆灯籠の組立キットはみあたらない。
【０００６】
こうしたなかで本考案者は、盆灯籠用の支柱を分離可能で接続可能な複数の接続部材（構成要素）に分割構成し、それぞれの長さ寸法を揃えるとともに、接続部材の１つの自由端側を竹割りに複数分割して灯籠用側面枠部を予備形成しておき、上開きにしたときの側面枠の形状に適合するように裁断した胴紙と、糊剤、接着剤、両面テープその他の貼着材料を同梱して組立キットとすることで収納性、可搬性その他の利便性を向上し、しかも量産可能で在庫調整が容易であるような盆灯籠の簡易組立キット、とりわけその組立支柱を開発するに至ったのである。しかも、その継手構造は、盆灯籠用組立支柱への適用にとどまらず、複数の接続部材を構成要素とする簡易組立ポールの継手構造として汎用性を有する。
【０００７】
【考案が解決しようとする課題】
本考案は、このような事情に鑑みなされたものであって、上記課題を解消し、盆灯籠の支柱を２又はそれ以上の接続部材に分割構成し、各接続部材の一端に分離可能で接続可能な嵌合継手を形設し、そのうち１つの接続部材の自由端側を竹割りに複数分割して灯籠用側面枠部を予備形成した盆灯籠組立支柱を提供するものである。
【０００８】
【課題を解決するための手段】
課題を解決するため本考案は、墳墓への供え具である立てかけ式の盆灯籠の支柱を２つの接続部材に分割構成し、各接続部材の一端に分離可能で接続可能な嵌合継手を形設した盆灯籠組立支柱であって、
前記接続部材が、一端に嵌合凸部を形成した第１接続部材と、一端に嵌合凹部を形成した第２接続部材からなるとともに、前記第１接続部材の嵌合凸部が部材の端面を塞いだ鍔部と該鍔部から延出され半割状の割ピンを形設した嵌合突起部を有してなり、該嵌合凸部の鍔部に前記嵌合凹部の端面が当接するまで嵌合して２部材間の接続を確保するようにしたことを特徴とするものである。
【０００９】
また、墳墓への供え具である立てかけ式の盆灯籠の支柱を２以上の接続部材に分割構成し、各接続部材の一端又は両端に分離可能で接続可能な嵌合継手を形設した盆灯籠組立支柱であって、
前記接続部材を、少なくとも一端に嵌合凸部を形成した第１接続部材と、少なくとも一端に嵌合凹部を形成した第２接続部材と、一端に嵌合凸部を形成し、かつ、他端に嵌合凹部を形成した第３接続部材からなり、前記嵌合凸部がそれぞれの部材の端面を塞いだ鍔部と該鍔部から延出され半割状の割ピンを形設した嵌合突起部を有してなり、前記第１接続部材と前記第２接続部材間に１又は複数本の前記第３接続部材を介在させ、隣接する部材間でそれぞれ前記嵌合凸部の鍔部に前記嵌合凹部の端面が当接するまで嵌合して多部材間の接続を確保するようにしたことを特徴とするものである。
【００１０】
【考案の実施の形態】
本考案の実施の形態を添付図面を参照して以下説明する。
【００１１】
図１は、接続部材の嵌合継手を示す組立支柱の部分断面視説明図であり、（ａ）が第１接続部材、及び（ｂ）が第２接続部材である。
【００１２】
図２は、接続状態（嵌合状態）を示す部分断面視説明図である。
【００１３】
図３は、第１又は第２接続部材の自由端側に形成した灯籠用側面枠部を示す組立支柱の部分説明図である。
【００１４】
図４は、本考案の組立支柱を用いた盆灯籠の外観視説明図である。
【００１５】
図５は、第３接続部材の嵌合継手を示す構成説明図である。
【００１６】
図示するように、本考案組立支柱の実施形態は、各接続部材が概略同一寸法に切り揃えた竹材である。
【００１７】
第１接続部材１は、一端に竹筒の内径に適合する嵌合凸部１１を形成したものであり、竹材の端面を塞いだ鍔部１１１　と該鍔部１１１　から延出され半割状の割ピンを形設した嵌合突起部１１２　を有するとともに、嵌合突起部１１２　の半割面にはそれぞれ係止溝１１３　を対向形成している。〔図１（ａ）〕
【００１８】
第２接続部材２は、一端に竹筒の中空を用いて嵌合凹部２１を形成したものであり、中央横断方向に係止棒２２を横架している。その架設位置は、第１接続部材１の嵌合凸部１１の鍔部１１１　に嵌合凹部２１の端面が当接するまで嵌合したとき、係止棒２２と係止溝１１３　が係合する深さ（又は高さ）である。〔図１（ｂ）〕
【００１９】
そして、その嵌合状態において嵌合突起部１１２　を割ピンの開方向に付勢し、かつ、嵌合凹部２１の筒内壁により拘束して、接続状態を保持するようにしている。〔図２〕なお、図中の符号（３）は後述の第３接続部材である。〔図５参照〕
【００２０】
また、第２接続部材２（又は第１接続部材１）のいずれかの自由端側を竹割りに複数分割して灯籠用側面枠部４を形成している。嵌合方向が逆向きになるだけで、いずれの自由端側を灯籠の先端（又は基端）に用いてもよいからである。〔図３〕
【００２１】
図示の灯籠用側面枠部４は６分割しており、かつ、それぞれの先端を二股形勢している。灯籠用保形枠５を挟持するためである。したがって、枠形は上開きの六角錐形となり、側面枠部４に胴紙を貼設して「ぼんぼり」を形成する。図４に盆灯籠Ｙの外観視説明図を示す。
【００２２】
なお、図５に示すように、組立支柱Ｘを２以上の接続部材に分割構成した場合の第３接続部材３は、一端に嵌合凸部３１を形成し、かつ、他端に嵌合凹部３２を形成する。
【００２３】
そして、第１接続部材１と第２接続部材２間に１又は複数本の第３接続部材３を介在させ、隣接する部材１（２），３間でそれぞれ嵌合凸部１１（３１）の鍔部に嵌合凹部２１（３２）の端面が当接するまで嵌合して多部材間の接続を確保することになる。〔図示省略〕
【００２４】
【考案の効果】
本考案は以上の構成よりなるものであり、これによれば盆灯籠の支柱を分割構成した組立支柱としているので、コンパクトである。
【００２５】
また、灯籠用側面枠部を予備形成した組立支柱を半製品（中性品）とし、胴紙その他の構成品を同梱することにより、収納性、可搬性その他の利便性を向上し、しかも量産可能で在庫調整が容易な盆灯籠の簡易組立キットとして市場提供できる。
【００２６】
さらに、接続部材が具備する嵌合継手は、盆灯籠用組立支柱への適用にとどまらず、複数の接続部材を構成要素とする簡易組立ポールの継手構造として汎用性を有する。
【図面の簡単な説明】
【図１】接続部材の嵌合継手を示す組立支柱の部分断面視説明図であり、（ａ）が第１接続部材、及び（ｂ）が第２接続部材である。
【図２】接続状態（嵌合状態）を示す部分断面視説明図である。
【図３】第１又は第２接続部材の自由端側に形成した灯籠用側面枠部を示す組立支柱の部分説明図である。
【図４】本考案の組立支柱を用いた盆灯籠の外観視説明図である。
【図５】第３接続部材の嵌合継手を示す構成説明図である。
【符号の説明】
１　第１接続部材
１１　嵌合凸部
１１１　鍔部
１１２　嵌合突起部（割ピン）
１１３　係止溝
２　第２接続部材
２１　嵌合凹部
２２　係止棒
３　第３接続部材
３１　嵌合凸部
３２　嵌合凹部
４　灯籠用側面枠部
５　灯籠用保形枠
Ｘ　組立支柱
Ｙ　盆灯籠
【図１】
0003097529.tif 000003
【図２】
0003097529.tif 000004
【図３】
0003097529.tif 000005
【図４】
0003097529.tif 000006
【図５】
0003097529.tif 000007